(57)【要約】      （修正有）【課題】樹脂製の仕切り部材の問題を解決する遊技機を提供する。【解決手段】透光領域ｒ１、ｒ２を有する中パネルと、透光領域に対して光を照射するＬＥＤ８ａ〜８ｊと、中パネルとＬＥＤ間に配置された仕切り部材と、を備え、透光領域は、第１透光領域ｒ１１と第２透光領域ｒ１２とを含み、ＬＥＤは、第１透光領域に対して光を照射する第１発光手段８ａ〜８ｅと、第２透光領域に対して光を照射する第２発光手段８ｆ〜８ｊとを含み、仕切り部材は、板金製の第１仕切り部材と、第１仕切り部材よりも板厚が厚い樹脂製の第２仕切り部材とを含み、第１仕切り部材は、第１領域に配置され、第２仕切り部材は、第２領域のうち何れか他方に配置されるようにしている。【選択図】図５
2020089626.tif 000002
【特許請求の範囲】
【請求項１】
透光性を有する領域である透光領域を有する透光部材と、
前記透光領域に対して光を照射するための発光手段と、
前記透光部材と前記発光手段の間に配置された仕切り部材と、
を備え、
前記透光領域は、
第１透光領域と、
前記第１透光領域とは異なる第２透光領域と、
を含み、
前記発光手段は、
前記第１透光領域に対して光を照射するための第１発光手段と、
前記第２透光領域に対して光を照射するための第２発光手段と、
を含み、
前記仕切り部材は、
板金で構成された第１仕切り部材と、
前記第１仕切り部材よりも板厚が厚く、且つ、樹脂で構成された第２仕切り部材と、
を含み、
前記第１仕切り部材は、
前記第１透光領域と前記第２透光領域を仕切るための第１領域、及び、前記透光領域における少なくとも一部の領域と他の領域を仕切るための第２領域のうち何れか一方に配置され、
前記第２仕切り部材は、
前記第１領域及び前記第２領域のうち何れか他方に配置される
ことを特徴とする遊技機。
【請求項２】
前記第２領域は、
前記第１透光領域及び前記第２透光領域と他の領域を仕切るための領域であり、
前記第１仕切り部材は、
前記第１領域に配置され、
前記第２仕切り部材は、
前記第２領域に配置される
ことを特徴とする請求項１に記載の遊技機。
【請求項３】
前記第２仕切り部材は、
前記第１仕切り部材よりも前記透光部材側に突出した突出部を有し、
前記透光部材は、
前記突出部と当接する領域にチヂミ印刷が施されている
ことを特徴とする請求項１又は２に記載の遊技機。
【請求項４】
前記第２仕切り部材は、
前記透光領域における少なくとも一部の領域と他の領域を仕切るための仕切り部材であり、
前記透光領域の少なくとも一部の領域と前記他の領域の何れか一方の領域に対して前記発光手段から照射される光が、当該第２仕切り部材によって遮られない形状である
ことを特徴とする請求項１〜３のいずれか一項に記載の遊技機。
【発明の詳細な説明】
【技術分野】
【０００１】
本発明は、発光表示が可能なパネルを備えた遊技機に関する。
【背景技術】
【０００２】
スロットマシンやパチンコ機などの遊技機においては、透光部材であるパネルを備え、パネルに施した絵柄を発光表示させることが行われている。
このような発光表示は、具体的には、パネルの透光領域の後方にＬＥＤを配置し、このＬＥＤから光を照射することにより実施することができる。
このような発光表示を遊技状況に応じて行うことで、遊技者に遊技状況を報知したり遊技に対する興趣を高めることができる。
ところで、このような発光表示においては、透光領域と他の領域との間に合成樹脂製の仕切り部材を配置することで、透光領域に対応するＬＥＤからの光が他の領域に漏れ出ないように対策が施されることがある。
例えば、特許文献１には、透光性を有する表示窓をパネルに形成し、表示窓と光源の間に仕切り部材を設け、仕切り部材により仕切られた領域に対応する光源を発光させることで、表示窓における一部の領域を発光表示することができる遊技機が開示されている。
【先行技術文献】
【特許文献】
【０００３】
【特許文献１】特開２００７−１１７４００号公報
【発明の概要】
【発明が解決しようとする課題】
【０００４】
しかしながら、このような従来の遊技機は、改良の余地があった。
【課題を解決するための手段】
【０００５】
上記目的を達成するため、本発明の遊技機は、透光性を有する領域である透光領域を有する透光部材と、前記透光領域に対して光を照射するための発光手段と、前記透光部材と前記発光手段の間に配置された仕切り部材と、を備え、前記透光領域は、第１透光領域と、前記第１透光領域とは異なる第２透光領域と、を含み、前記発光手段は、前記第１透光領域に対して光を照射するための第１発光手段と、前記第２透光領域に対して光を照射するための第２発光手段と、を含み、前記仕切り部材は、板金で構成された第１仕切り部材と、前記第１仕切り部材よりも板厚が厚く、且つ、樹脂で構成された第２仕切り部材と、を含み、前記第１仕切り部材は、前記第１透光領域と前記第２透光領域を仕切るための第１領域、及び、前記透光領域における少なくとも一部の領域と他の領域を仕切るための第２領域のうち何れか一方に配置され、前記第２仕切り部材は、前記第１領域及び前記第２領域のうち何れか他方に配置されるようにしてある。
【図面の簡単な説明】
【０００６】
【図１】遊技機の外観を示す概略正面図である。
【図２】遊技機の内部構成を示す概略斜視図である。
【図３】遊技機の制御構成の一例を示すブロック図である。
【図４】告知部の分解図である。
【図５】告知部を構成する各透光領域とＬＥＤの配置関係を示す図である。
【図６】第１仕切り部材の図であり、（ａ）は正面図、（ｂ）は背面図、（ｃ）は左側面図、（ｄ）は右側面図、（ｅ）は平面図、（ｆ）は底面図である。
【図７】第２仕切り部材の図であり、（ａ）は正面図、（ｂ）は背面図、（ｃ）は左側面図、（ｄ）は右側面図、（ｅ）は平面図、（ｆ）は底面図である。
【図８】第１仕切り部材と第２仕切り部材とを組み合わせた仕切り部材の正面図である。
【図９】仕切り部材の設置態様を示す図である。
【図１０】透光領域と仕切り部材とＬＥＤの配置関係を示す図である。
【図１１】第１領域に仕切り部材を配置した状態を示す図であり、（ａ）は樹脂製の仕切り部材の場合、（ｂ）は板金製の仕切り部材の場合の図である。
【図１２】（ａ）は仕切り部材と中パネルを側方から見た図であり、（ｂ）は、（ａ）の要部拡大図である。
【図１３】（ａ）は仕切り部材を中パネルに近接させた状態の後方斜視図、（ｂ）は仕切り部材を中パネルから離した状態の後方斜視図、（ｃ）はチヂミ印刷の拡大模式図である。
【図１４】第２仕切り部材の形状を説明するための図であり、（ａ）はギザギザ模様と同一のギザギザ形状の場合、（ｂ）はギザギザ形状を構成する各三角形状の単一領域の頂角を大きくした形状の場合である。
【発明を実施するための形態】
【０００７】
以下、本発明に係る遊技機の好ましい実施形態について、各図を参照して説明する。
【０００８】
遊技機には、スロットマシン、パチンコ機など様々な種類があるが、本発明をスロットマシンに適用した場合について説明する。
【０００９】
図１〜３に示すように、本実施形態のスロットマシン１は、複数のリール４１ａ，４１ｂ，４１ｃを回転させることによって遊技媒体であるメダルを獲得することができる回胴式遊技機を構成している。
【００１０】
スロットマシン１は、それぞれマイクロコンピュータ等で構成され、スロットマシン遊技を制御する主制御部１０や演出制御を行う副制御部２０、及び、必要な機械、装置等を収納する正面側が開口した筐体１ｂと、筐体１ｂの正面側を開閉可能に覆う前扉１ａとで構成されている。
【００１１】
前扉１ａには、メダルが投入されるメダル投入口２と、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃが設けられている。
筐体１ｂには、リール４１ａ，４１ｂ，４１ｃと、各リール４１ａ，４１ｂ，４１ｃを回転させる図示しないモータ及び回転位置を検出するセンサ等を備えるドラムユニット４が設けられる。
【００１２】
前扉１ａの中央には、中パネル６が装着されている。  中パネル６は、アクリルなどの透光部材からなり、その中央部分には、各リール４１ａ，４１ｂ，４１ｃに表示された図柄を視認できる表示窓Ｗを備えている。
また、中パネル６は、透光部材であることから、後方から光を照射することで絵柄等が発光表示される透光領域ｒを設けている。
例えば、図４，５に示すように、中パネル６の左下角部には、ギザギザ模様やＧＯＯ！文字などの絵柄を施した第１透光領域ｒ１が設けられている。
また、第１透光領域ｒ１の下側には、ＣＥＣＥＣＥ文字を施した第２透光領域ｒ２が設けられている。
なお、本実施形態では、ＧＯＯ！文字は中パネル６の左下角部に施し、ＣＥＣＥＣ文字はＧＯＯ！文字の下側に施したが、これに限らず、中パネル６の任意の位置に絵柄を施すことができる。
また、本実施形態では、ＧＯＯ！文字等を施した領域を第１透光領域ｒ１とし、ＣＥＣＥＣＥ文字を施した領域を第２透光領域ｒ２としたが、これに限らず、例えば、ＧＯＯ！文字等を施した領域を第２透光領域ｒ２とし、ＣＥＣＥＣＥ文字を施した領域を第１透光領域ｒ１とすることもできる。
【００１３】
筐体１ｂの下部には、メダルを貯留・払出するメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００１４】
このような構成のスロットマシンにおいては、以下の方法でスロットマシン遊技が行われる。
遊技者によりメダル投入口２からメダルが投入され、スタートレバー３が操作されると、スタート信号が主制御部１０に入力される。
スタート信号が入力されると、主制御部１０は、所定の遊技プログラムに従いドラムユニット４を駆動して、各リール４１ａ，４１ｂ，４１ｃを回転させる制御を行う。
主制御部１０は、ボーナスや小役等を抽選する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
主制御部１０は、各リール４１ａ，４１ｂ，４１ｃを所定の図柄の組合せで停止させると、メダル払出装置７で所定数のメダルを払い出す制御を行い、メダルをメダル払出口７ｂから払い出す。
【００１５】
このようなスロットマシン遊技においては、遊技状況に応じてスピーカＳＰから所定の音を出力させ、あるいは、中パネル６の絵柄等を発光表示させるなどの演出が行われる。
例えば、ボーナス役に当選したことを中パネル６の第１透光領域ｒ１のＧＯＯ！文字を発光表示させることで告知する動作が行われる。
具体的には、内部抽選においてボーナス役に当選したときは、主制御部１０が、当選結果を示す信号を副制御部２０に送信し、この抽選結果信号を受信した副制御部２０は、所定の発光手段を発光させることで第１透光領域ｒ１のＧＯＯ！文字を発光表示させる。
このようなボーナス告知を担う告知部６ａについて詳細に説明する。
【００１６】
図４は、告知部６ａの分解図である。
図４に示すように、告知部６ａは、中パネル６、パネル枠６１、ＬＥＤ基板８１、仕切り部材９などによって構成される。
中パネル６は、パネル枠６１の前側に取り付けられる。
パネル枠６１の左下角部には、ＬＥＤ基板８１が設けられる。
ＬＥＤ基板８１は、基板の表面に配置された複数のＬＥＤ８と、これらＬＥＤ８の発光動作を制御する制御チップ（不図示）と、を備え、当該制御チップが、副制御部２０からの命令に従って所定のＬＥＤ８を所定の発光パターンで発光させる制御を行う。
【００１７】
ＬＥＤ８は、中パネル６の透光領域ｒごとにその後方に対応づけて配置されており、所定のＬＥＤ８を発光させると、そのＬＥＤ８の前方の透光領域ｒに光が照射されて当該透光領域ｒが発光表示する。
例えば、図５に示すように、第１透光領域ｒ１には、ＬＥＤ８ａ〜８ｅが対応付けて配置されており、ＬＥＤ８ａ〜８ｅを発光させることによって、第１透光領域ｒ１を発光表示させることができる。
また、第２透光領域ｒ２には、ＬＥＤ８ｆ〜８ｊが対応付けて配置されており、ＬＥＤ８ｆ〜８ｊを発光させることによって、第２透光領域ｒ２を発光表示させることができる。
すなわち、第１透光領域ｒ１に対して光を照射するための第１発光手段（ＬＥＤ８ａ〜８ｅ）と、第２透光領域ｒ２に対して光を照射するための第２発光手段（８ｆ〜８ｊ）とを備え、第１発光手段（ＬＥＤ８ａ〜８ｅ）を発光させることによって第１透光領域ｒ１を発光表示させ、第２発光手段（８ｆ〜８ｊ）を発光させることによって、第２透光領域ｒ２を発光表示させるようにしている。
【００１８】
透光領域ｒには、中パネル６の表面又は裏面に絵柄が印刷され、もしくは、絵柄が印刷されたシートが接着等されており、透光領域ｒに光を照射することで、透光領域ｒに施された絵柄を発光表示させることができる。
例えば、第１透光領域ｒ１には所定の文字（ＧＯＯ！）やギザギザ模様などの絵柄が施されており、第１透光領域ｒ１に光を照射することで、これらの絵柄を発光表示させることができる。
また、第２透光領域ｒ２には所定の文字（ＣＥＣＥＣＥ）などの絵柄が施されており、第２透光領域ｒ２に光を照射することで、この絵柄を発光表示させることができる。
なお、透光領域ｒ以外の領域（非透光領域）には、例えば、パネル裏側に銀色の塗膜を施すなどの遮光処理を行っている。
遮光処理を行うことで、透光領域ｒと非透光領域との明るさにコントラストをつけることができ、透光領域ｒに施した絵柄を、より目立たせて発光表示させることができる。
【００１９】
＜仕切り部材について＞
仕切り部材９は、透光領域ｒと他の領域（透光領域ｒ以外の領域をいう）とを仕切るための部材であり、透光領域ｒと他の領域とを区切る領域（境界領域ともいう）に配置される。
なお、境界領域には、一定の面積を有する領域だけでなく、線状の領域が含まれる。
仕切り部材９によれば、透光領域ｒに照射される光のうち、当該透光領域ｒから他の領域に進行する（漏れる）光を遮断することができ、いわゆる光漏れを防ぐことができる。
【００２０】
本実施形態の仕切り部材９は、板金で構成された第１仕切り部材９１と、樹脂で構成された第２仕切り部材９２と、の組み合わせによって構成される。
【００２１】
図６は、第１仕切り部材の図である。
図６に示すように、第１仕切り部材９１は、主に水平方向に延びる細幅板状の水平仕切り部９１１と、水平仕切り部９１１の左右端部からそれぞれ下方に延びる支持部９１２とを備えた、変形コ字状の部材である。
【００２２】
図７は、第２仕切り部材９２の図である。
図７に示すように、第２仕切り部材９２は、第１透光領域ｒ１のギザギザ模様の形状に対応したギザギザ形状の上部仕切り部９２１と、上部仕切り部９２１の左右の下端部からそれぞれ下方に延びる下部仕切り部９２２と、によって構成される。
【００２３】
このような形状の第２仕切り部材９２に第１仕切り部材９１にネジ止めすることで、本発明の仕切り部材９が完成する。
具体的には、図８に示すように、第２仕切り部材９２の上部仕切り部９２１における左側の下端部と右側の下端部の間に第一仕切り部材９１（水平仕切り部９１１）が設けられた仕切り部材９が完成する。
【００２４】
図９に示すように、仕切り部材９は、ネジ止めによってＬＥＤ基板８１上に配置される。すなわち、中パネル６とＬＥＤ８との間に配置される（図４参照）。
また、これにより、図１０に示すように、第１仕切り部材９１（水平仕切り部９１１）は、第１透光領域ｒ１と第２透光領域ｒ２との間の領域（以下、第１領域ｒ１１という）に配置される。
このため、第１仕切り部材９１が、第１透光領域ｒ１と第２透光領域ｒ２とを仕切ることになる。
第２仕切り部材９２は、上部仕切り部９２１が、第１透光領域ｒ１と他の領域（第２透光領域ｒ２を除く）との間の領域に配置され、下部仕切り部９２２が、第１透光領域ｒ１と、当該第１透光領域ｒ１の左側及び右側の領域との間の領域に配置される。
このため、上部仕切り部９２１が、第１透光領域ｒ１と他の領域とを仕切り、下部仕切り部９２２が、第２透光領域ｒ２と他の領域とを仕切る。
第２仕切り部材９２は、全体としては、第１透光領域ｒ１及び第２透光領域ｒ２と他の領域との間の領域（以下、第２領域ｒ１２という）に配置され、第１透光領域ｒ１及び第２透光領域ｒ２と他の領域を仕切ることになる。
【００２５】
ところで、この種の仕切り部材は、成形容易性、コスト性などの観点から、一般に樹脂製の部材が用いられるが、一定の板厚以上のもの（例えば、１．０ｍｍ以上）が多く用いられる。
これは、仕切り部材９は、光漏れを防止するための部材であるために遮光性が求められるところ、樹脂は比較的遮光性が低く、板厚を、ある程度、肉厚にする必要があるからである。
ただし、このような肉厚の仕切り部材を用いる場合、配置される領域の幅が狭いときには、仕切り部材が陰影として見えることがある。
例えば、第１領域ｒ１１は、ＧＯＯ！文字の下側のギザギザ模様とＣＥＣＥＣＥ文字との間に存在する０．５ｍｍ程度の細幅の境界領域である。
このような細幅の第１領域ｒ１１に、仮に、板厚が１．０ｍｍの樹脂製の仕切り部材９ａを配置したとする。
そうすると、図１１（ａ）に示すように、仕切り部材９ａの板厚（１．０ｍｍ）が、第１領域ｒ１１の領域幅（０．５ｍｍ）よりも大きいため、第１領域ｒ１１から外側にはみ出る（斜線部参照）。
そうすると、このはみ出た部分に対応する透光領域ｒの部分が陰影となって視認され易くなる。
特に、仕切り部材９ａによって仕切られる第１透光領域ｒ１又は第２透光領域ｒ２に対し、対応するＬＥＤ８ａ〜８ｅ又は８ｆ〜８ｊから光を照射させたときには、このはみ出た部分が障害物となって光が遮られる結果、当該部分に対応する透光領域ｒが暗くなる。
このため、透光領域ｒ内に不自然に暗い領域が存在することになり、その明暗が一層明確になることもあって、仕切り部材９ａによる陰影がより目立つことになる。
例えば、ＣＥＣＥＣＥ文字は全体として明るく表示されるものの、当該文字の上端部だけが影になり、美観が著しく損なわれる。
【００２６】
また、樹脂は剛性に乏しく変形し易い。
特に、第１領域ｒ１１に配置する仕切り部材は、水平仕切り部９１１の形状・取り付け態様に示すように、板材の両端を架け渡すように取り付けられるところ、部材の自重により、又は、リール４１などの駆動部の動作やボタン操作等に伴う振動によって中央部分を中心に撓み易い。
このため、仕切り部材９ａが境界領域からはみ出易く、上述と同様の問題が生じ易い。
【００２７】
本実施形態では、このような問題に対処するため、細幅の境界領域である第１領域ｒ１１には板金製の仕切り部材（第１仕切り部材９１）を配置した。
板金は、遮光性に優れ、板厚が薄くても十分に光を遮断することができるからである。
例えば、０．３ｍｍの板厚の板金製の仕切り部材を第１仕切り部材９１として採用した場合について説明する。
図１1（ｂ）に示すように、この場合、第１仕切り部材９１の板厚（０．３ｍｍ）は、第１領域ｒ１１の領域幅（０．５ｍｍ）よりも小さいため、第１仕切り部材９１が第１領域ｒ１１内に収まり、領域外にはみ出ない。
このため、第１透光領域ｒ１や第２透光領域ｒ２に対し、対応するＬＥＤ８から光を照射させたときには、この光を遮る障害物はないので、透光領域ｒの全体を発光表示させることができる。
したがって、樹脂製の場合のように影が映し出されることなく、ＣＥＣＥＣＥ文字の美観を損なうことなく綺麗に発光表示させることができる。
このような理由から、細幅の第１領域ｒ１１には、板金製の仕切り部材（第１仕切り部材９１）を配置するようにした。
【００２８】
なお、前述したように、仕切り部材には、成形容易性、コスト性などが求められるため、可能な限り樹脂製を用いることが好ましい。
このような理由から、本実施形態では、板金製の部材と樹脂製の部材を併用している。
具体的には、第１透光領域ｒ１のギザギザ模様のように複雑な形状の仕切り部材が必要な領域や、境界領域が細幅でない場合には、成形の容易性等を鑑み樹脂製の仕切り部材を用いている。
【００２９】
＜中パネルにおけるチヂミ印刷について＞
仕切り部材９は、一の透光領域ｒと他の透光領域ｒとの間の領域に配置されることで一の透光領域ｒと他の透光領域ｒとの間の光漏れを防止するが、奥行き方向において、中パネル６の後方において、ＬＥＤ８との間に配置される。
このような構成上、仕切り部材９は、中パネル６と当接した状態で設けることが好ましい。
仕切り部材９を、中パネル６から離して設けると、仕切り部材９と中パネル６との間の隙間から光が漏れ易くなるからである。
ただし、仕切り部材９を中パネル６に当接して設けると、遊技者が中パネル６を見たときに、透光部材である中パネル６を通して仕切り部材９が透けて見えやすくなり、見栄えが悪い。
このため、本実施形態の仕切り部材９は、光漏れが生じない程度に離れた位置であって、中パネル６を通して視認できない位置として、中パネル６と近接した位置に設けている。
【００３０】
ところが、このように、仕切り部材９を中パネル６と近接した状態で設けた場合、仕切り部材９が、リール４１などの駆動部の動作やボタン操作等に伴って、中パネル６側に移動して当接したり、当接した状態で振動することがあり、これにより、仕切り部材９が、例えば、中パネル６に施した塗膜（前記非透光領域の塗膜）を剥がすなど、表面を傷付けることがある。
特に、第１仕切り部材９１は、金属製のため、硬く、また、剛性を有するため、このような問題が生じ易い。
【００３１】
このような問題に対処すべく、図１２及び図１３に示すように、樹脂製の第２仕切り部材９２において、中パネル６側に突出した突出部９２３を設けるとともに、中パネル６において、突出部９２３が当接する領域部分にチヂミ印刷Ｐ１を施した。
これにより、仮に、仕切り部材９が中パネル６側に移動したとしても、第２仕切り部材９２が当接して、第１仕切り部材９１（保持部９１２）が中パネル６に当接することはない。
また、第２仕切り部材９２のうち、中パネル６と当接する部分は、突起部９２３のみであり、突起部９２３に対応する領域（突起部９２３が当接する領域）にはチヂミ印刷Ｐ１が施されている。
このため、仮に、突起部９２３が中パネル６の表面に当接し、又は、当接した状態で振動したとしても、チヂミ印刷Ｐ１によって表面は保護される。
ところで、チヂミ印刷Ｐ１は、図１３（ｃ）に示すように、専用ＵＶインキを波長の異なるＵＶ照射を行うことにより、対象物表面に波状（ちりめん状）の凹凸（シワ）の立体模様を施すことができる印刷手法である。
チヂミ印刷Ｐ１は、立体模様や光拡散による視認効果を得ることができるため、一般に装飾目的で用いられる。
本発明は、このような装飾目的で用いられるチヂミ印刷Ｐ１を、中パネル６の保護手段として用いている。
このようなチヂミ印刷Ｐ１によれば、突起部９２３の当接や振動による衝撃を、チヂミ印刷Ｐ１の凹凸（特に凸部）によって分散したり吸収することができる。
これにより、中パネル６に対する衝撃が緩和され、中パネル６を効果的に保護することができる。
また、これにより、チヂミ印刷Ｐ１に対する衝撃も緩和されるため、チヂミ印刷Ｐ１を剥がれにくくすることができる。
したがって、中パネル６を長期的に保護することができる。
【００３２】
＜第２仕切り部材の形状について＞
第２仕切り部材９２（上部仕切り部９２１）は、本来は、鋭角に突き出したギザギザ模様の内側領域と、その外側領域とを仕切るための部材である。
このため、本来、第２仕切り部材９２は、図１４（ａ）に示すように、ギザギザ模様と同様に、鋭角に突き出したギザギザ形状で形成し、これをギザギザ模様の周縁に合わせて設ける。
しかしながら、このような第２仕切り部材９２だと、ギザギザ模様の内側領域において、ＬＥＤから照射された光が十分に照射されない領域が生ずることがある。
例えば、図１４（ａ）において、右下方向に突出する領域部分（右下領域）は、ＬＥＤ８ａとＬＥＤ８ｄからの光によって照射される。
ところが、ＬＥＤ８ａから照射された光は、その一部の進路が、仕切り部材の所定部分（※１）によって遮られ、ＬＥＤ８ｄから照射されたの一部が、仕切り部材の所定部分（※２）によって遮られる。
この結果、図１４（ａ）における斜線部において、ＬＥＤ８からの光が十分でないために暗くなる結果、ギザギザ模様の内側領域において明るい領域と暗い領域が混在し、美観が損なわれる。
このような問題に対し、ＬＥＤ８の配置・数を変更する方法があるが、例えば、告知部６ａの絵柄が機種のブランドを表す場合、その機種のモデルチェンジ等にかかわらず、同じ絵柄が長期に亘り採用され続けることがあり、これに伴い、ＬＥＤ（光源）の見え方を踏襲するなど、ＬＥＤの配置・数を容易に変更できないこともある。
【００３３】
そこで、本実施形態の第２仕切り部材９２は、図１４（ｂ）に示すように、第２仕切り部材９２の形状を、ギザギザ模様に比べ突出形状が緩やかになるようにした。
このようにすると、右下領域に対するＬＥＤ８ａやＬＥＤ８ｄからの光の進路が仕切り部材によって遮られない。
この結果、ギザギザ領域の全体が均一に照射され、ギザギザ模様を綺麗に発光表示させることができる（図１４（ｂ）参照）。
【００３４】
以上のように、本発明の遊技機においては、光漏れの防止部材として板金製の仕切り部材を用いるようにしている。
このような仕切り部材９によれば、板厚を薄くすることができるため、仕切り部材９を目立ちにくくすることができる。
特に、透光領域ｒと他の領域との間の境界領域の幅が狭い場合にも、当該境界領域内に収めて配置することができるので透光領域ｒの美感を損ねることがない。
これに対し、従来の遊技機は、例えば、特許文献１のように樹脂製の仕切り部材を用いているため、仕切り部材を肉厚にせざるを得ない。
そうすると、仕切り部材が境界領域内に収まらず、はみ出ることになり、この結果、透光領域ｒにおいて、このはみ出た部分に対応する部分が暗くなる問題が生じていた。
本発明の遊技機によれば、従来の遊技機が改善すべきこのような課題の全部又は一部などを解決することができる。
【００３５】
以上、本発明のスロットマシンの好ましい実施形態について説明したが、本発明に係るスロットマシンは上述した実施形態にのみ限定されるものではなく、本発明の範囲で種々の変更実施が可能であることはいうまでもない。
例えば、前述の実施形態では、第１仕切り部材９１を第１領域ｒ１１に配置し、第２仕切り部材９２を第２領域ｒ１２に配置する構成の仕切り部材９について説明したが、仕切り部材９を、第１仕切り部材９１を第２領域ｒ１２に配置し、第２仕切り部材９２を第１領域ｒ１１に配置する構成にしてもよい。
【符号の説明】
【００３６】
１  スロットマシン
１ａ  前扉
６  中パネル
６１  パネル枠
８  ＬＥＤ（発光手段）
８ａ〜８ｅ  第１発光手段
８ｆ〜８ｊ  第２発光手段
８１  ＬＥＤ基板
９  仕切り部材
９１  第１仕切り部材
９２  第２仕切り部材
Ｐ１  チヂミ印刷
【図１】
2020089626.tif 000003
【図２】
2020089626.tif 000004
【図３】
2020089626.tif 000005
【図４】
2020089626.tif 000006
【図５】
2020089626.tif 000007
【図６】
2020089626.tif 000008
【図７】
2020089626.tif 000009
【図８】
2020089626.tif 000010
【図９】
2020089626.tif 000011
【図１０】
2020089626.tif 000012
【図１１】
2020089626.tif 000013
【図１２】
2020089626.tif 000014
【図１３】
2020089626.tif 000015
【図１４】
2020089626.tif 000016